(57)【要約】ディスプレイ装置のバックライト発光体は、交流電流（ＡＣ）バーストを供給される。信号を表す放射光は、発光体（４）へ供給されるＡＣバーストから生成される。信号を表す放射光は、基準信号ＲＥＦと比較され、誤差信号を提供する。ＡＣバーストの期間は、誤差信号に従い、例えば誤差信号を最小化するように調整される。
2008506222.tif 000002
【特許請求の範囲】
【請求項１】
方法であって、交流電流（ＡＣ）バーストが発光体に供給されるディスプレイ装置のバックライト発光体を駆動し、制御シーケンスの間に：
（ａ）前記発光体を流れる電流は、測定され、測定された電流信号を提供し、
（ｂ）エンベロープ信号は、前記測定された電流信号に基づき生成され、
（ｃ）前記エンベロープ信号は、積分され、積分されたエンベロープ信号を提供し、
（ｄ）信号を表す放射光は、前記積分されたエンベロープ信号に基づき提供され、
（ｅ）前記信号を表す放射光は、基準信号と比較され、誤差信号を提供し、
（ｆ）ＡＣバーストの期間の設定は、前記誤差信号を最小化するよう、前記誤差信号に基づき調整される、
ことを特徴とする、ディスプレイ装置のバックライト発光体駆動方法。
【請求項２】
前記発光体における電圧を測定し、測定された電圧信号を提供し、及び前記信号を表す放射光は、前記測定された電流信号及び前記測定された電圧信号の組み合わせから決定され、前記発光体の出力値を表すことを特徴とする、請求項１記載の方法。
【請求項３】
前記制御シーケンスは、１つ以上のＡＣバースト周期にわたり、及び前記積分されたエンベロープ信号は、前記制御シーケンスが再び開始される前にリセットされることを特徴とする、前記請求項記載の方法。
【請求項４】
前記エンベロープ信号の生成、前記エンベロープ信号の積分、前記信号を表す放射光の決定、前記信号を表す放射光及び前記基準信号の比較、並びにＡＣバーストの期間の設定の調整の１つ又は組み合わせは、ソフトウェアにより実施されることを特徴とする、前記請求項記載の方法。
【請求項５】
回路であって、交流電流（ＡＣ）バースト発生器からＡＣバーストがバックライト発光体に供給されるディスプレイ装置の前記発光体を駆動し、前記回路は：
（ａ）前記発光体を流れる電流を測定し、それにより測定された電流信号を提供する電流検出器、
（ｂ）前記測定された電流信号のエンベロープを検出し、それにより前記測定された電流信号に基づくエンベロープ信号を提供するエンベロープ生成器、
（ｃ）前記エンベロープ信号を積分し、それにより積分されたエンベロープ信号を提供する積分器、
（ｄ）前記積分されたエンベロープ信号に基づき、信号を表す放射光を提供する部材、
（ｅ）前記信号を表す放射光を基準信号と比較し、それにより誤差信号を提供する比較器、
（ｆ）ＡＣバーストを受信し、前記誤差信号に基づき前記ＡＣバーストの期間を変調し、及び前記誤差信号を最小化するよう前記変調されたＡＣバーストを前記発光体に供給するために配置される変調器、
を特徴とする、ディスプレイ装置のバックライト発光体駆動回路。
【請求項６】
前記発光体における電圧を測定し、測定された電圧信号を提供する電圧検出器、並びに前記信号を表す放射光を、前記測定された電流信号及び前記測定された電圧信号の組み合わせから決定し、前記発光体の出力値を表すプロセッサーを特徴とする、請求項5記載の回路。
【請求項７】
前記積分器は、１つ以上のＡＣバースト周期の間、前記エンベロープ信号を積分し、及び前記積分器は、前記積分されたエンベロープ信号を、前記エンベロープ信号を再び積分する前にリセットすることを特徴とする、請求項５又は６記載の回路。
【請求項８】
前記エンベロープ発生器、前記積分器、前記プロセッサー、前記比較器、及び前記変調器の１つ又は組み合わせは、ソフトウェアにより実施される、請求項５、６、又は７記載の回路。
【請求項９】
ディスプレイ装置であって、ディスプレイパネル、前記ディスプレイパネルの裏面に配置された少なくとも１つのバックライト発光体、及び前記発光体にＡＣバーストを供給する交流電流（ＡＣ）バースト発生器、を有し、請求項５乃至８の何れか記載の前記バックライト発光体を駆動する回路を特徴とする、ディスプレイ装置。
【発明の詳細な説明】
【技術分野】
【０００１】
本発明は、ディスプレイ装置のバックライト発光体を駆動する方法、前記方法を利用する回路、及び前記回路を有する装置に関連する。これら方法、回路及び装置は、それぞれ請求項１、５及び９に記載されている。特に、発光体は蛍光灯であり、より詳細には、このような装置のディスプレイパネルの裏面に配置された複数の隣接する蛍光灯を有するディスプレイ装置である。
【背景技術】
【０００２】
上述の種類の方法、回路及び装置は、慣例から知られている。通常、各ランプはランプ自身の駆動回路により駆動される。このような駆動回路及びランプはともに、異なる特性を有し得る。光に対する人間の知覚は、このようなランプにより放出される光エネルギーの絶対量よりむしろ相違に対し敏感なので、駆動装置及びランプはともに、可能な限り良く適合し、同一の駆動信号に対し、ランプに同一量の光エネルギーを放出させなければならない。適切な費用で、異なるランプからの異なる光出力の不要な知覚を防ぐために必要な構成要素の厳しい仕様を満たすことは困難である。ＡＣバーストが短くなると、更に困難になる。これは、例えばランプが順次、つまり所謂、現在液晶ディスプレイテレビジョン機器に適用されている走査モードで駆動される場合である。
【発明の開示】
【発明が解決しようとする課題】
【０００３】
本発明の目的は、上述の方法及び回路の欠点を解決することである。
【課題を解決するための手段】
【０００４】
本発の上述の目的は、請求項１に記載の方法を提供することにより達成される。
【０００５】
本方法では、ランプを通過するＡＣバーストの振幅は、本方法に従い調整され得る時間期間の間、望まれる光エネルギーを十分に供給する場合、重要でない。
【０００６】
本方法は、ハードウェア及び／又はソフトウェアにより実施され得る。ハードウェア及び／又はソフトウェアの選択は、関連する信号の周波数に依存して良い。
【０００７】
本発明の上述の目的はまた、請求項5に記載の回路を提供することにより達成される。
【０００８】
本発明の上述の目的はまた、請求項9に記載のディスプレイ装置を提供することにより達成される。
【０００９】
本発明は、以下の図と関連した例である説明から明らかだろう。
【発明を実施するための最良の形態】
【００１０】
今日のディスプレイ装置は、通常、装置の制御回路により駆動される選択性光透過液晶ディスプレイ（ＬＣＤ）のようなフラットスクリーン装置を有する。
【００１１】
図１は、本発明が利用されるディスプレイ装置の回路の一部を図示する。
【００１２】
図１に示された図は、選択性光透過ディスプレイパネル２を有する。パネル２の裏面には、複数の発光体４が配置される。特に、発光体４は、蛍光管灯である。パネル２へ供給される選択回路（示されない）からの選択信号に基づき、パネル２の画像素子（画素）は、透過又は不透明になる。
【００１３】
慣例から知られるように、発光体４は、連続的又は不連続的に駆動され得る。後者の場合、５０ｋＨｚのような高周波数を有する交流電流（ＡＣ）バーストは、図１に示される発生器６のようなＡＣパルス発生器により生成される。ＡＣバーストは、次に図１に示される駆動装置８のような駆動回路により押し上げられる。そして押し上げられたＡＣバーストは、次に特定の発光体４へ供給される。従来技術では、異なる発光体４は、単一のＡＣパルス発生器６を共有し得るが、それらはそれぞれ別個の駆動装置８により駆動される。
【００１４】
ＡＣパルス発生は、標準的に３ｍｓのオン時間、及び２個の連続バーストの間の約１０ｍｓのオフ時間を有する。発光体４の平均光出力は、ランプを流れる電流の振幅及びＡＣバーストの期間に依存する。異なる発光体４及び異なる駆動装置８の特性が異なり、且つ時間により変化し得るので、ＡＣバースト発生器からの同一のＡＣバーストを用いる場合、異なる発光体４から均一の光出力を得て且つ維持することは、実質的に不可能である。
【００１５】
本発明によると、ＡＣパルス発生器６、発光体４を駆動する駆動装置８のみを有する従来の回路は、制御ループを追加することにより改善される。制御ループにより、発光体４により放出されている光を表す少なくとも１つのエンティティは、検知される。エンティティは、次に、誤差信号を提供する基準と比較される。そして誤差信号は、時間の当該誤差信号を最小化するようループを調整するために用いられる。
【００１６】
従って本発明によると、電流センサー１０は、発光体４毎に、駆動装置８及び発光体４と直列に配置される。電流センサー１０は、発光体４を通じて流れる電流ｉを検知する。図２の上の線は、時間に対する当該電流ｉの例を示す。特に図２は、２つのＡＣバーストを示す。２つのＡＣバーストの相違は、以下に説明される。
【００１７】
発明者らは、発光体４のオン時間の間に放射される光の量が、第一に、発光体４を通過する電荷の量により決定されると考えた。当該電荷の量は、当該電流ｉからのエンベロープ信号を作成することにより、非常に良く推定され得ることが分かった。従って、回路は、このようなエンベロープ信号｜Ｉ(−)｜を生成するエンベロープ発生器１１を有する。エンベロープ信号は、例として図２の中央の線で示される。エンベロープ信号｜Ｉ(−)｜は、積分器１２により積分される。エンベロープ信号｜Ｉ(−)｜は、いくらか、発光体４を通じて流れる電流ｉに依存する振幅及び期間を有するので、及びこの電流は時間で積分されるので、積分されたエンベロープ信号は、ランプを通過する電荷Ｑの量を表し、及び従って発光体４により放射された光の量を表す。図２の下の線では、当該電荷量Ｑの例が示される。
【００１８】
比較器１４は、信号Ｑを表す放射光を基準信号ＲＥＦ１と比較し、それにより誤差信号を提供する。
【００１９】
誤差信号は、ＡＣパルス発生器６及び電流センサー１０の間、例えばＡＣパルス発生器６及び駆動装置８の間に直列に配置された変調器１６へ供給される。
【００２０】
変調器１６は、比較器１４により供給される誤差信号に基づき、変調器１６がＡＣ発生器６から受信するＡＣバーストの期間を変更する。変調器１６は、ＡＣバーストの期間を変更し、当該誤差信号を最小化するよう配置される。
【００２１】
ＡＣバーストの期間を変更する目的で、変調器１６は、ＡＣバーストの終了後、例えば図２に示される時間ｔ４において誤差信号からサンプルを採取し、そしてサンプルを保持する。次に、変調器１６は、当該サンプルに基づき、次のＡＣバースト（又は複数のバースト）の期間を変更する。再び積分を開始する前に、時間ｔ５に示されるように、先の積分演算はリセットされる。
【００２２】
正確な時間設定を行い維持することは、特に複数の発光体４が同時にしかし次々に交代しながら電圧を加えられる場合に、困難である。発光体のこの種の動作は、走査モード動作と称され、視聴者による不鮮明な知覚を回避するテレビジョンアプリケーションから知られている。
【００２３】
積分値Ｑは、それぞれサンプリング時間ｔ４でｔ９より大きく、及びｔ９でｔ４より小さい。基準信号ＲＥＦが当該Ｑの値の間にあるとすると、変調器１６は、より大きいｔ４における積分値Ｑのサンプルを採取した後、次のＡＣバーストの期間を減少する。
【００２４】
図３に示された本発明による回路の第２の実施例の図は、図１に示された図と異なり、発光体４と接続された電圧センサー１８、並びに積分岐１２及び比較器１４と直列に配置された結合器２０が追加されている。電圧センサー１８は、発光体４における電圧又は両端の電圧を検知するために配置される。電圧センサー１８は、結合器２０へ測定された電圧信号を供給する。結合器２０は、積分値Ｑ及び平坦化された測定された電圧信号を処理し、その時に発光体４へ供給された電気出力を表す信号を提供する。結合器２０は、単純な乗算器及び結合器２０の出力をスケーリングするスケーリング部材を有して良い。従って、図の残りの部分は、図１に示された図と同一のままである。
【００２５】
図4に示された本発明による回路の第２の実施例の図は、図3に示された図と異なり、測定された電流信号及び測定された電圧信号が、先ず結合器２２により結合され、特に乗算され、そしてその結果がエンベロープ検出器１１及び積分器１２を介し比較器１４へ供給される。
【００２６】
図３及び図４により及び適切な基準信号ＲＥＦ２を用いて説明された両者の場合に、真のランプ出力は、制御され得る。
【００２７】
基準信号ＲＥＦは、固定されるか、又は変化されて良い。後者の場合、ある制御回路からの要求に基づき、発光体４の全て又は特定の１つによる光の放出を調光するために用いられ得る。
【００２８】
周波数、ＡＣバーストのオン時間の期間、オフ時間の期間、ＡＣバーストを変調するために必要な精度、アナログ／デジタル回路及び他の回路の仕様及び価格に依存して、本発明による回路の構成要素１０−１８の如何なる組み合わせは、ハードウェアのみ又はソフトウェアの利用により動作するハードウェアにより実施され得る。
【図面の簡単な説明】
【００２９】
【図１】本発明によるバックライト発光体の駆動回路の第１の実施例の図を示す。
【図２】図1に示された回路の動作を説明するタイムチャートを示す。
【図３】本発明によるバックライト発光体の駆動回路の第2の実施例の図を示す。
【図４】本発明によるバックライト発光体の駆動回路の第３の実施例の図を示す。
【図１】
2008506222.tif 000003
【図２】
2008506222.tif 000004
【図３】
2008506222.tif 000005
【図４】
2008506222.tif 000006
【国際調査報告】
2008506222.tif 000007
2008506222.tif 000008